(57)【要約】  回転可能ディスク（１）は、第１の領域（６）を有しており、この第１の領域（６）内には、複数の特徴部（７，８，９，１０）、例えば、光学フィルタがディスク（１）の回転軸（２）に関して相互に均一な角度に配置されており、第２の環状領域（１２）を有しており、この第２の環状領域は、第１のタイプの隣接マーク（１３−１６）と、第２のタイプの隣接マーク（１７−２０）のセット（１３＋１７，１４＋１８，１５＋１９，１６＋２０）を有している。各セットは、同じ全周囲長を有しているが、所定タイプのマークは、少なくとも２つの異なった全周囲長を、マークセット内に有するか、又は、相互に異なったタイプの相対マーク位置によって区別可能である。第１及び第２のタイプの隣接マーク（１１２，１１３）は、特徴部を識別するために使うことができるコードパターンを形成する。セクタの幅の検出に基づいて、ディスクの回転配向を調整するための方法が記載されている。
2007536849.tif 000002
【特許請求の範囲】
【請求項１】
第１の環状領域（６）を有する回転可能ディスク（１）において、第１の環状領域（６）内に、複数の特徴部（７，８，９，１０）が、第１の半径に沿ってセンタリングされて、有利には、ディスク（１）の回転軸（２）に関して相互に均一な角度のところに配置されており、第２の環状領域（１２）は、第１のタイプ及び第２のタイプの区別可能なマークセットを、第２の半径に沿ってセンタリングされた単一の線内に有しており、前記マークの前記セットは、同じ全円周長を有しており、前記第１及び第２のタイプのマークは、前記マークの夫々のセットを識別することができるコードを形成するようにマークセット内に配置されていることを特徴とする回転可能ディスク。
【請求項２】
第１及び第２のタイプのマークは、各隣接セクタを形成し、前記第１及び第２のタイプのマークの加算された全円周長は、夫々、前記マークの１つのセット内で、前記マークの夫々のセットを識別するために使用することができる請求項１記載のディスク。
【請求項３】
第１及び第２のタイプの各マークの相対位置は、前記各マークのセット内で、前記各マークの夫々のセットを識別するために使用するために使用することができる請求項１記載のディスク。
【請求項４】
第１及び第２のタイプのマークは、対称的に、前記マークセットの全円周長内に配置されている請求項１記載のディスク。
【請求項５】
第１及び第２のタイプのマークの始端、中心及び／又は終端は、前記第１及び第２のマークの予め決められたシーケンスによって識別可能である請求項１記載のディスク。
【請求項６】
第１のタイプのマークは、スキャン信号に対して透過性又は反射性であり、第２のタイプのマークは、前記スキャン信号に対して透過性又は反射性ではない請求項１から５迄の何れか１記載のディスク。
【請求項７】
第１又は第２のタイプのマークは、カットアウト又はホールである請求項１から６迄の何れか１記載のディスク。
【請求項８】
第１の領域（６）の特徴部（７〜１０）は、光学フィルタである請求項１から７迄の何れか１記載のディスク。
【請求項９】
請求項１から８迄の何れか１記載のディスク（１）、前記ディスク（１）が回転可能に取り付けられているフレーム、及び、センサ装置構成（４，５）、有利には、光学センサ装置構成を有するディスクアセンブリにおいて、センサ装置構成（４，５）は、前記第２の環状領域（１２）に隣接する前記フレームによって保持されており、前記センサ装置構成は、第１のタイプのマーク（１３〜１６）及び第２のタイプのマーク（１７〜２０）間を区別するのに適しているように形成されていることを特徴とするディスクアセンブリ。
【請求項１０】
更に、ディスク（１）を回転するためのステップモータ（３）を有しており、前記ステップモータの１ステップは、有利には、第１のタイプの１つのマーク（１１１）又は第２のタイプの１つのマーク（１１２）だけ前記ディスクを回転する請求項９記載のディスクアセンブリ。
【請求項１１】
第２のディスク（１’）は、前記第一のディスク（１）と同じ軸（２）上に取り付けられており、前記２つのディスク（１，１’）は、相互に無関係に回転可能である請求項９又は１０記載のディスクアセンブリ。
【請求項１２】
第２のセンサ装置構成（４’，５’）は、前記第２のディスク（１’）の第１及び第２のタイプのマーク間を区別するために設けられている請求項１１記載のディスクアセンブリ。
【請求項１３】
前記同じセンサ装置構成（４，５）は、前記第２のディスクのマークの第１及び第２のタイプ間を区別するために設けられている請求項１１記載のディスクアセンブリ。
【請求項１４】
２つのディスクの一方（１）、第１のタイプのマーク（１３〜１６）の各端（２１）は、第１の回転方向で見て等間隔に配置されており、第１のタイプのマーク（１３’〜１６’）の各端（２４’）は、第２の回転方向で見て等間隔に配置されている請求項１１から１３迄の何れか１記載のディスクアセンブリ。
【請求項１５】
円周方向で、２つのセンサ装置構成（４，５；４’，５’）間の距離は、第１のタイプのマーク（１３〜１６；１３’〜１６’）の最短マークの円周長よりも短い請求項１３又は１４記載のディスクアセンブリ。
【請求項１６】
センサ装置構成（4, 5; 4', 5')）は、前記１つのディスク（１）又は複数のディスク（１，１’）の対向し合う側に配置されたスキャン信号ソース（４，４’）及びスキャン信号レシーバ（５，５’）を有している請求項９から１５迄の何れか１記載のディスクアセンブリ。
【請求項１７】
請求項１から８迄の何れか１記載のディスク、又は、請求項９から１６迄の何れか１記載のディスクアセンブリを有するビデオカメラ。
【請求項１８】
請求項１から８迄の何れか１記載のディスク（１）の配向を調整するための方法において、
ａ）  前記第２の環状領域（１２）に隣接してセンサ（４，５）を設けるステップ、
ｂ）  ディスクを回転し（Ｓ２）、第１及び第２のタイプのマークの２つのセット間の境界が前記センサによって観測される位置を見つけ（Ｓ３）、
ｃ）  前述のようにして観測された第１又は第２のタイプのマークのいずれかの全加算円周長を決定し（Ｓ６）、
ｄ）  前述のようにして決定された円周長が所定の長さに適合する場合（Ｓ７）、
ディスク（１）を、前記所定の円周長を有する前記マークセットの境界に相応する各位置の１つに配置することを特徴とする方法。
【請求項１９】
請求項１８記載の方法において、
ステップｂ）を、ディスク（１０３）を回転し、中心位置（１１３）を指示する第１（１１１）及び第２の（１１２）タイプのマークによって形成される所定のパターンを見つけるステップに置き換え、
ステップｃ）を、前記中心位置（１１３）で開始して、前記マークの１つのマーク内で、前記第１（１１１）及び第２の（１１２）タイプのマークによって形成されるパターンを決定するステップに置き換え、
ステップｄ）を、所望の特徴部（１０６，１０７，１０８，１０９）に対応付けられた中心位置（１１３）に前記ディスク（１０３）を位置付けるステップに置き換える方法。
【請求項２０】
前記センサ装置構成（４，５；４’，５’）は、スキャン信号ソース（（４．４’）と、前記ディスク（１，１’）の反対側に配置されたスキャン信号レシーバ（５，５’）を有する請求項１２から１６迄の何れか１記載のディスクアセンブリ内で、第１のディスクの配向を調整するための方法において、
ｅ）  アセンブリの開始時点での構成でのセンサによって観測される信号レベルを、本質的に重畳している２つのディスクの第１のタイプの２つのマークに相応するか、又は、ソースとレシーバとの間でスキャン信号を阻止するいずれかのディスクの第２のタイプの少なくとも１つのマークに相応するか決定するステップ（Ｓ１２）、
ｆ）  第２のタイプのマークがスキャン信号を阻止することが決定された場合、第１のタイプの２つのマークが観測される迄（Ｓ１４）、２つのディスクを前記ソースと前記レシーバとの間で実質的に重畳するように回転するステップ（Ｓ１３）、
ｇ）  第１のディスクを回転させて、前記第１及び第２のタイプのマークの２つのセット間の境界が前記センサによって観測される位置を見つけるステップ、
ｈ）  マークの１つのセット内で、前記第１又は第２のタイプの、前述のようにして観測されたマークの加算された全長を決定するステップ、
ｉ）  前述のようにして決定された各長さが所定の各長さに適合する場合、第１のディスクを、所定の円周長を有するマークセットの境界に相応する各位置の１つに配置するステップ、
ｊ）  前記第１のディスクを動かないようにして、前記第２のディスクに対して前記ステップｇ）〜ｉ）を繰り返すことを特徴とする方法。
【請求項２１】
請求項２０記載の方法において、
ステップｇ）を、第１のディスク（１０３）を回転し、中心位置（１１３）を指示する第１（１１１）及び第２の（１１２）タイプのマークによって形成される所定のパターンを見つけるステップに置き換え、
ステップｈ）を、前記中心位置（１１３）で開始して、前記マークの１つのマーク内で、前記第１のタイプのマーク（１１１）及び第２のタイプのマーク（１１２）によって形成されるパターンを決定するステップに置き換え、ステップｉ）を、所望の特徴部（１０６，１０７，１０８，１０９）に対応付けられた中心位置（１１３）に前記ディスク（１０３）を位置付けるステップに置き換える方法。
【請求項２２】
駆動パルスによって駆動されるステップモータによって回転する請求項１８から２１迄の何れか１記載の方法において、
更に、
ディスクが新たな位置になった時に前記駆動パルスをカウントするステップｊ）
第１及び第２のタイプのマークを連続的に検出し、該検出時に、特徴部と中心位置パターン（１１３）を識別するパターンを検出するステップｋ）
所定数の駆動パルス後、前記ディスクの回転を停止するステップｌ）
前記所定数のパルスがカウントされる前に、所望の特徴部（１０６，１０７，１０８，１０９）の中心位置パターン（１１３）が検出された場合、その後の駆動パルスを禁止するステップｍ１）
前記所定数の駆動パルス後、所望の特徴部（１０６，１０７，１０８，１０９）の中心位置パターン（１１３）が検出されない場合、前記所望の特徴部（１０６，１０７，１０８，１０９）の前記中心位置パターン（１１３）が検出される迄、前記駆動パルスを継続するステップｍ２）を有する方法。
【請求項２３】
請求項２２記載の方法において、
ステップｋ）を、所定数の駆動パルス後に、所望の特徴部（１０６，１０７，１０８，１０９）マイナス所定の小さな数がカウントされた場合に実行し、前記所定の小さな数を、少なくとも、中心位置（１１３）を識別するのに必要なマークの数と同じ大きさにする方法。
【請求項２４】
請求項２２又は２３記載の方法において、
ステップｋ）を、中心パターン（１１３）を決定するための所定数の駆動パルス用の当該駆動パルスの開始時点で実行し、前記所定数を、少なくとも、中心位置（１１３）を識別するのに必要なマークの数と同じ大きさにし、それにより、正しい開始位置が再確認される方法。
【発明の詳細な説明】
【技術分野】
【０００１】
本発明は、複数の第１の特徴部が配置され、第２の環状領域が第１及び第２のタイプの、区別することができる複数のマークを有している第１の環状領域を有している回転可能ディスクに関する。第１及び第２の環状領域は、本質的に相互に同心状に配置されている。そのような回転可能ディスクは、第１の環状領域の各特徴部が、技術効果を達成するために、択一的に所定の位置に配置する必要がある多くの技術装置で有用である。以下の説明では、光学フィルタしか、前述の各特徴部の例として説明しないが、本発明は、これに制限されないことは、当業者には明らかである。
【０００２】
日本国公開特許第６３２６９１３９号には、各特徴部が、テレビジョンカメラ用のフィルタである、上述のような回転可能ディスクの例が記載されている。これらのフィルタを回転可能ディスクの上に取り付けることによって、ディスクを単に回転すれば、フィルタを迅速に交換することができる。しかし、ディスクの種々異なる各フィルタのうち正しいフィルタをカメラの光路内に配置し、且つ、そのフィルタを正確に配置し、その結果、光路がフィルタマウントによって部分的に遮られないように注意する必要がある。
【０００３】
このような作用に対処するために、従来技術のディスクは、４つのセクタを備えていて、４つのセクタが夫々第２の環状領域内に配置され、夫々のセクタが１つのフィルタに相応するように配置されている。各セクタの夫々にパターンが形成されており、そのパターンにより、現在、光路内に配置されているフィルタを識別することができる。このパターンは、異なった半径で、２つのラインのアレイ内に配置された６個のフィールドを有している。各ラインは、３つのフィールドを以ており、各フィールドは、第１又は第２のタイプのどちらかである。両ラインの中央フィールドは、共働して現在作動しているフィルタを識別するのに役立ち、他方、両ラインの２つの隣接フィールドは、共働して、作動しているフィルタのどちら側かのフィルタを識別するのに役立つ。これらのパターンは、フィルタを識別するのには適しているが、少なくとも２つのフィールドを、ディスクの異なった半径のところに配置して、１つのフィルタを識別するので、これら各フィールドのタイプを決定するのに、２つのセンサが必要である。しかも、これら２つのセンサの各信号から、パターンの中心列を観測しているのか、又は、並列した列を観測しているのか断定することができず、その結果、フィルタを光路内に正確に配置するためには、ディスクの回転配向を検出するために、付加的な手段が必要である。
【０００４】
本発明の課題は、簡単な手段によって、ディスクの、均一に配置された種々の特徴部のどの特徴部が作動位置にあるのか識別し、ディスクの配向を正確に決定することができる、回転可能ディスクを提供することにある。
【０００５】
別の課題は、上述のようなディスクと、配向を調整するための手段を備えたディスクアセンブリを提供することにある。
【０００６】
本発明の別の課題は、上述のようなディスクがフィルタディスクとして使われるビデオカメラを提供することにある。
【０００７】
本発明の更に別の課題は、上述のようなディスクの配向を調整するための方法を提供することにある。
【０００８】
本発明の第１の課題は、複数の特徴部がフィルタ半径に沿ってセンタリングして配置されている第１の環状領域を有する回転可能ディスクによって達成される。  各特徴部は、有利には、ディスクの回転軸に対して相互に均一角度で配置されている。ディスクは、更に、第１及び第２のタイプの区別可能なマークセットを有する第２の環状領域を有している。マークは、第２の半径に沿ってセンタリングされた単一のライン内に配置されている。マークの夫々のセットは、有利には、同じ全円周長を有している。第１及び第２のタイプのマークは、当該第１及び第２のタイプのマークがコードを形成して、マークの夫々のセットを明確に識別することができるように、マークセット内に配置される。
【０００９】
識別用のコードは、識別可能な第１及び第２のマークのシーケンスを有するようにしてもよい。
【００１０】
ディスクの位置を識別するために、コードは、マークの１つのセット内で、夫々第１及び第２のタイプのマーク全ての、異なった加算全長を有するようにしてもよい。マークセットは、更に、マークセットの始点及び終点を指示する識別部を有するとよく、又は、もっと一般的には、マークの隣接している２つのセット間の境界を有するとよい。マークの隣接する２つのセット間の境界を識別することは、第１及び第２のマークの所定のシーケンスによって達成することができる。
【００１１】
マークセット内での第１及び第２のマークは、マークセットの中心に対して対称的に配置するとよく、そうすることによって、ディスクをどちらかの方向に回転させている間に識別することができるようになる。
【００１２】
マークセット内のマークは、マークセットの中心を明確に識別することができるように配置されている。このような目的のためにマークを配列する際、第１及び第２のタイプのマークが特別なシーケンスとなるようにするとよく、有利には、対称的なシーケンスにするとよい。マークセットの中心の検出は、有利には、第１の環状領域内に設けられている各特徴部の１つの所望の位置を決定するために使われる。
有利な実施例では、第１及び第２のタイプのマークセットは、ディスクの回転軸に関して相互に均一な角度のところの第２の環状領域内に配置されている。第１及び第２のタイプのマークの夫々は、有利には、同じ円周長を有している。マークセット内に、第１及び第２のタイプのマークが、相互に等間隔で配置されている。両タイプのマークは、個別の長さを有しているか、又は、異なった長さを有している。
【００１３】
本発明の実施例では、回転可能ディスクは、複数の特徴部がディスクの回転軸に関して相互に均一の角度で配置されている第１の領域を有している。ディスクは、更に第１のタイプ及び第２のタイプのマークを備えた第２の環状領域を有している。マークは、各対が同じ全円周長を有しているような、隣接マークによって形成してもよい。隣接マーク対は、以下、セクタとして言及する。有利には、対内の所定タイプのセクタは、少なくとも２つの異なった円周長を有している。ディスクを回転すると同時に所定タイプの種々異なるセクタの円周長を測定することにより、異なった円周長のものを決定することができ、配向を、これらの長さに基づいて大雑把に決定することができる。それから、配向の微調整が、異なったタイプの各セクタ間の境界を検出することによって可能であり、この点について、以下詳細に説明する。
【００１４】
所定タイプのセクタが異なった２つの円周長しか有していない場合、所定タイプの種々のセクタを識別することができるようにする前に、ディスクを完全に裏返すことによってディスクを回転させる必要がある。所定タイプの２つのセクタが同じ円周長を有していない場合、大雑把に配向を判定するために、単一セクタの長さを測定すれば十分である。
【００１５】
セクタの２つのタイプは、有利には、第１のタイプのセクタが、スキャン信号に対して透過性であるか、又は反射性であり、他方、第２のタイプのセクタはスキャン信号に対して透過性でも反射性でもないという点で区別される。更に、有利には、第１のタイプのセクタの円周長は、第２のタイプのセクタの円周長よりも長く、その結果、ディスクが任意の配向にある場合、スキャン信号が伝送されて、観測される確率は、観測されない確率よりも高い。
【００１６】
第１のタイプのセクタがスキャン信号に対して透過性である場合、第１のタイプのセクタをカットアウトとして形成すると簡単で便利である。逆に、第１のタイプのセクタがスキャン信号に対して反射性である場合、第２のタイプのセクタをカットアウトとして形成するとよい。
【００１７】
本発明の別の実施例では、第１及び第２のタイプのマークは、夫々、第２の環状領域内にホールがあるかないかによって形成されている。各マークは、第２の環状領域内に配置され、その際、ステップモータの１つのステップが、回転可能ディスクを回転させて、次のマークが、センサ装置構成の信号路内にくる、即ち、個別マークが等間隔に配置されるように配置されている。この場合、センサは、ディスクの対向側に配置された、信号エミッタ及び相応のレシーバのＵ字形構成である。
【００１８】
本発明の有利な実施例によると、第１の領域の特徴部は、光学フィルタであるが、上述のように、他のタイプの特徴部にしてもよい。別の有利な実施例では、第１の環状領域の特徴部は、ニュートラルデンシティの光学フィルタ、又は、ＮＤＦ、又は光学効果フィルタである。
【００１９】
本発明の第２の課題は、上述のようなディスク、ディスクが回転可能に取り付けられたフレーム、及び、第１及び第２のタイプの各マーク間を区別するために、前記第２の環状領域に隣接するフレームによって保持されたセンサ装置構成を有するディスクアセンブリによって達成される。
【００２０】
有利には、センサ装置構成は、光スキャン信号、有利には、赤外線光を検出する。これは、例えば、電気コンタクトを検出するセンサ装置構成よりも一層都合がよい。と言うのは、光学センサは、摩耗せず、ディスクの回転に作用しないからである。スキャン信号発振器及びレシーバは、ディスクの対向し合った側に配置されており、有利には、適切なやり方で、ディスクの外側縁に重畳するＵ字形の装置構成にするとよい。この場合、第１又は第２のマークにより、スキャン信号がディスクを通過するようになり、又は、スキャン信号がディスクを通過しない、又は、阻止するようにすることができる。スキャン信号を反射するか、又は、スキャン信号を反射しないマークを使用することも可能である。この場合、エミッタとレシーバが、ディスクの同じ側に配置される。ディスクを回転する手段として、ステップモータが有利に使用される。その理由は、ステップモータは、モータのステップの数を単にカウントしさえすれば、角位置を正確に制御することができるからである。更に、そのようなモータは、モータを短絡することによって、モータの正確な角位置にロックすることができるようにすると好都合であり、その結果、モータがオフである場合でも、穏やかな振動も、ディスクの位置に作用しない。ロックされた位置でのステップモータの保持トルクは、たいていのアプリケーションで十分に高い。そうでない場合には、付加的なロック手段を設けるとよい。
【００２１】
１実施例では、ディスクには、駆動歯車と係合している歯車の外側縁が設けられている。駆動歯車は、ステップモータによって駆動される。ディスクの開始位置又は配向が決定又は分かると、ディスクの第１の環状領域内に設けられている特徴部の所望の配置又は位置付けが、既に上述したように、ステップモータのステップを単にカウントすることによって達成することができる。配置又は位置付けが、既に上述したように、ステップモータのステップを単にカウントすることによって達成することができる。
【００２２】
単一のディスク上に非常に多数の特徴部を使う必要がある場合、そのようなディスクの半径は、特徴部の数に比例して増大し、その結果、そのようなディスクを有するディスクアセンブリは、とても大きくなってしまい、実用的でなくなる。非常に多数の特徴部が利用可能であるにも拘わらず、ディスクアセンブリをコンパクトに保持するために、前述の第１のディスクと同じ軸上に取り付けられた第２のディスクを設けると有利であり、２つのディスクは、相互に無関係に回転可能である。
【００２３】
２つのディスクを有するディスクアセンブリでは、第２のセンサ装置構成が、第１及び第２のタイプの、前述の第２のディスクの各マーク間で区別するために設けられている。しかし、両ディスクの各マークの第１及び第２のタイプ間を区別するために単一のセンサを使ってもよく、このようにして、センサ装置構成を１つしか使わずに、両ディスクを位置付けることができるようになる。
【００２４】
２つの回転可能ディスクの位置を決定するために、単一の光学センサが設けられている場合、センサは、センサ信号を送出し、このセンサ信号は、ディスク装置構成を通過するか、又は、ディスク装置構成によって遮られる。このために、信号エミッタが、ディスク装置構成の一方の側に配置され、他方、相応の信号エミッタが、ディスク装置構成の反対側に配置されている。センサ装置構成の例、及び、当該センサ装置構成の配置は、図５に示されているＵ字形光遮断スイッチ１００である。この場合、ディスクの第２の環状領域は、ほぼ同じ半径を有している。
【００２５】
有利には、センサは、スキャン信号ソース、例えば、赤外線放射ダイオード及びスキャン信号レシーバ、例えば、赤外線感応トランジスタ又は前述の１つのディスク又は複数のディスクの反対側に配置されたレシーバダイオードを有している。
【００２６】
装置構成内には、２つの回転可能ディスクがあるので、センサ装置構成用の光路が、回転可能ディスクの位置に依存して遮られることがある。回転可能ディスクの第１の環状領域内に設けられた各特徴は、センサ信号を遮ることがある。つまり、第１又は第２のタイプのマークの一方は、遮るタイプのマークがセンサ信号路内に位置付けられてしまった場合、センサ信号を遮ることがある。未知の初期状態から開始する位置を決定するために、センサ信号路が遮られないか、又は、所謂オープンスポットである両回転可能ディスク用の位置を見つける必要がある。
【００２７】
オープンスポットを見つけるための方法は、両回転可能ディスクを同時に、同じ方向か又は反対方向に回転させて、センサ信号がディスク装置構成を通過して検出されるようにするステップを有している。センサ信号が検出されると、一方の回転可能ディスクが停止される。他方のディスクは回転し続け、そのディスクのマークパターンが決定され、このようにして、ディスクの位置が決定される。ディスクの位置が決定されると、そのディスクは、センサ信号が遮られない所望の位置にされる。有利には、第１の環状領域内に設けられた夫々の特徴部の正しい位置にあるマークは、センサ信号を遮らない。位置決めのために使われるステップモータにより、モータがスイッチオフされた場合にディスクの位置を保持するのに十分な保持トルクが提供される。他方のディスクが回転されて、そのディスクのマークパターンを識別することができるようになる。両ディスクのマークパターンが識別されて、各位置が分かると、第１の環状領域の各特徴部は、各可能な位置が予め分かっているステップ数だけ、又は、ディスクが完全に１回転するのに必要なステップの既知の数と、第１の環状領域内に設けられている特徴部の既知の数を使って計算することができるステップ数だけ各ディスクを相応に回転させることによって位置づけることができる。
【００２８】
回転可能ディスクの例は、マークが検出される１５２個の位置を有している。ディスクは、位置決めされるべき第１の環状領域に設けられた４つの特徴部を有している。その結果、特徴毎に３８個のマークとなり、図７に示されているように、第１の環状領域内に設けられた特徴部によって９個のマークが遮られる。４個のマークは、センサ信号を遮り、論理「０」を示し、センサ信号を遮らない他のマークは、論理「１」を示す。論理値の割り当ては、本発明の範囲を逸脱しない限りで、逆にしてもよい。遮られる位置の全カウントは、１３である。回転可能ディスクを同時にステップ毎に回転することによって、遮られる可能性のあるマーク位置の最大数は、２ｘ１３＝２６である。必ずしも全て遮られるとは限らないマーク位置が連続的に配置されることが分かると、実際に必要なステップ回転数は小さくなる。
【００２９】
ディスクの位置決めが既知の位置で開始すると、ディスクの位置決めは、ステップモータのステップパルスをカウントしさえすれば十分である。しかし、ディスクの回転中、マークを検出し続けると有用である。１実施例では、マークパターンが検出され、開始位置から外れた場合にだけチェックされる。このチェックにより、正しい開始位置が分かると、ディスクは、更に検出及びチェックせずに、所要ステップ数だけ回転される。高度な実施例では、所望の位置に接近した場合、マークパターンの検出及びチェックが再度行われる。この場合、第１の環状領域内に設けられた特徴部の正しい位置が、専用のマークパターンによって指示される。このようにして、ステップモータのステップがアクシデントにより多すぎたり少なすぎたりした場合でも、特徴部を正しく配置することができるようになる。
【００３０】
所望の正しい位置を識別するための適切なパターン、有利には、マークセットの中心位置は、第１及び第２のタイプの各マーク間の唯一の変化を有しており、それにより、パターンの一部分しか検出されない場合でも、位置を識別することができるようになる。これは、中心位置に対して対称的なパターンを使うことによって達成される。即ち、各回転方向で、第１のタイプのマークから第２のタイプのマークに変化する際に、たった１回しか変化しかないか、又は、その逆であるようにして達成され、特徴を識別するのに使われるパターンの残りの部分は、そのような単一の変化を有していない。ディスクを回転するために使われるステップモータの各ステップが、１つのマークだけディスクを進める場合、又は、回転時の変位が時間的に安定している場合、この方法により、新たな特徴部の位置決めが開始する際、及び／又は、新たな特徴部の所望の位置に達した場合に中心位置を識別することができるようになる。
【００３１】
上述のように、第１の環状領域内に設けられた夫々の特徴部の正しい位置にあるマークは、センサ信号を遮らない。特徴部が正しく配置された場合の、信号路内に配置されているマークの両側の隣接マークが、センサ信号を遮るために選択される。こうすることにより、ディスクの均一な回転を識別することができるようになり、その結果、正しい位置が、上述の方法を用いて再調整される。
【００３２】
正しい位置及び所望の特徴部にするのに必要な回転の方向は、現時点の開始位置に依存している。ディスク上の各特徴部の開始位置及び位置は予め分かっているので、適切な回転方向を選択することによって、新たな特徴部を所望の位置に持って行くために、最も低い可能性のステップ数を用いるとよい。
【００３３】
本発明の第３の課題は、上述のように、特徴部が光学フィルタである、ディスクアセンブリを有するビデオカメラによって達成される。
【００３４】
本発明の第４の課題は、上述のようなディスクの配向を調整するための方法において：
前述の第２の環状領域に隣接してセンサを設けるステップ、
ディスクを回転し、第１及び第２のタイプのマークの２つのセット間の推移が前記センサによって観測される角度を記録するステップ、
このようにして観測された第１又は第２のタイプのセクタの長さを計算するステップ、
このようにして計算された長さが予め定められた長さに適合する場合、予め定められた長さのセクタの境界に相応する、記録された角度の１つにディスクを配置するステップを有することによって解決される。
【００３５】
上述のような２つのディスク、及び、スキャン信号ソースと前記ディスクの反対側に配置されたスキャン信号レシーバを有するスキャンセンサを有するディスクアセンブリ内で第１のディスクの配向を調整するために使われる方法で、以下の各ステップ：
ａ）  アセンブリの開始時点での構成でのセンサによって観測される信号レベルを、重畳している２つのディスクの第１のタイプの２つのマークに相応するか、又は、ソースとレシーバとの間でスキャン信号を阻止するいずれかのディスクの第２のタイプの少なくとも１つのマークに相応するか決定するステップ、
ｂ）  第２のタイプのセクタがレシーバを阻止することが分かった場合、２つのディスクを回転させて、第１のタイプのセクタがソースとレシーバとの間で重畳するように観測されるようにするステップを有している。第１のセクタが、上述のように、第２のタイプのセクタよりも長い場合、両ディスクの第１のタイプのセクタが重畳している第２の環状領域内の領域にする必要があり、２つのディスクを同じ速度で回転することによって、ソースとセンサのレシーバ間の、この領域にすることができる。この領域にされた場合、第１のディスクの配向が、更に以下ステップにより更に調整され、つまり、
ｃ）  第１のディスクを回転し、第１及び第２のタイプのセクタ間の推移が前記センサによって観測される角度を記録するステップ、
ｄ）  このようにして観測された第１又は第２のタイプのセクタの長さを計算するステップ、及び
ｅ）  このようにして計算された長さが予め定められた長さに適合する場合、第１のディスクを、予め定められた長さのセクタの境界に相応する、記録された角度の１つに配置するステップにより調整される。
つまり、ステップｂ）で、２つの第１のタイプのセクタが重畳するように観測される迄、２つのディスクを異なった速度で回転させることができる。これは、第１のタイプのセクタの長さが、第２のタイプのセクタの長さよりも長くない場合、又は、同じ軸上に設けられた２つのディスクよりも長い場合に必要となる。
【００３６】
本発明の、その他の特徴及び／又は利点について、以下、図示の実施例を用いて説明する。
【００３７】
図１は、本発明の第１の実施例の、単一の回転可能ディスクを有するディスクアセンブリの斜視略図、
図２は、２つの回転可能ディスクを有するディスクアセンブリの斜視図、
図３は、図１の回転可能ディスクを調整するための方法のフローチャート、
図４は、図２の回転可能ディスクを調整するための方法のフローチャート、
図５は、２つのディスクの位置を測定するための単一センサの装置構成の側面図、
図６は、図５の単一センサの装置構成を上から見た図、
図７は、第１の環状領域内の４つの機構を有するディスクの例を示す図、
図８は、４つの機構のディスク用のマークパターンの例を示す図である。
【００３８】
図１は、固定軸２上に回転可能に取り付けられたディスク１を示す。固定軸２は、フレーム（図示していない）に固定されている。つまり、ステップモータ３及び発光ダイオード４とフォトトランジスタ５から構成されたセンサは、フレームに固定されている。ディスク１の周囲に形成されたはめ歯は、ステップモータ３によって駆動されるピニオンと噛み合っている。
【００３９】
ディスク１は、４つの円形フィルタホール７〜１０が相互に９０°の角度で形成されている第１の中央領域６を有している。各フィルタホール内に、異なったタイプのフィルタが取り付けられている。
【００４０】
図１のホイールアセンブリは、ビデオカメラの部品であり、ビデオカメラの光軸は、図に破線１１で示されている。図示の構成では、光軸は、フィルタホール７の中心を通っている。
【００４１】
ディスク１は、第１の領域６を囲む第２の環状領域１２を有している。第２の環状領域１２は、フィルタホール毎に一対の、４つの対のセクタから形成されていて、各対の一方のセクタは、カットアウト１３〜１６によって形成されていて、他方のセクタ１７〜２０は、発光ダイオード４の放射に対して不透過な固体材料によって形成されていると見なすことができる。
【００４２】
発光ダイオード４とフォトトランジスタ５は、ディスク１の第２の領域１２の相互に反対側に位置しており、その結果、ディスクの配向に従って、発光ダイオード４からの放射は、カットアウト１３〜１６の１つを通ってフォトトランジスタ５に達するか、又は、固体セクタ１７〜２０の１つによって阻止される。
【００４３】
セクタの各対１３プラス１７、１４プラス１８、１５プラス１９又は１６プラス２０の円周長は同じであり、その結果、カットアウトセクタ全ては、一方の端２１を有しており、これらの端は、図１の斜視図で見て時計回り方向に、隣接するカットアウトセクタの相応の端２１から９０°だけ離隔している。図示の視点から見た、用語「時計回り方向」及び「反時計回り方向」は、以下、分かりやすくするために用いる。ディスクの２つの回転方向しか用いていないが、もっと一般的に、第１及び第２の回転方向を用いてもよい。カットアウトセクタの長さは、各セクタ１３〜１６毎に異なっており、固体セクタ１７〜２０の長さよりも長い。
【００４４】
フィルタホール７が光軸１１にセンタリングされている図１の配向で、図１に破線２２によって示された、フィルタダイオード４から放射される赤外線ビームの中心は、正確に、カットアウトセクタ１３の時計回り方向の端２１を通り、その結果、発光ダイオード４から放射された赤外線電力の約半分だけがフォトトランジスタ５によって受け取られる。
【００４５】
フォトトランジスタ５とステップモータ３は、図１にブロック２３によって略示された制御回路に接続されており、この制御回路によって、フォトトランジスタ５の出力側に接続されているステップモータ３の動きが制御される。
【００４６】
制御回路２３の作動方法について、以下、図３のフローチャートを用いて説明する。第１のステップＳ１では、制御回路２３は、光軸１１上に所定のフィルタを配置するために外側からコマンドを受け取る。このコマンドは、単純にフィルタホール７〜１０のうちの１つを特定し、その際、制御回路２３は、特定されたフィルタホールに相応する固体セクタ１７，１８，１９又は２０の幅を見つけるために、内部ストレージを参照する。択一的に、外部コマンドによって、直接、この幅を特定してもよい。
【００４７】
その際、制御回路２３は、フォトトランジスタ５によって受信された赤外線の強度が最初に観測されるまで、反時計方向（Ｓ２）にステップモータ３を駆動する。フォトトランジスタ５によって受信された赤外線の強度が最初に観測されると（Ｓ３）、カットアウトセクション１３〜１６の１つの反時計方向の端２４がビーム２２のところに達している。それから、制御回路２３は、カウンタをリセットし（Ｓ４）、ディスク１を反時計方向に回転し続け、フォトトランジスタ５の出力が低減するのが観測される迄（Ｓ５）、カウンタを用いてステップモータ３の各ステップをカウントし続ける。フォトトランジスタ５の出力が低減するのが観測されると、カットアウトセクタの反時計方向の端２１は、ビーム２２のところに達している。それから、カウンタが読み出され（Ｓ６）、ビーム２２によって丁度スキャンされたカットアウトセクタの長さを示すカウンタの値が、ステップＳ１のコマンドで特定されたフィルタホールに相応するカットアウトセクタの拡張された幅と比較される。
【００４８】
２つの幅が相互に相応し合うと、正しいフィルタホールが見つかり、そして、ビーム２２は、相応のカットアウトセクタの反時計方向の端２１のところであるので、特定されたフィルタホールは、既に光軸１１上にセンタリングされており、その結果、調整過程が終了される。
【００４９】
低減された幅と、予期された幅がステップＳ６で一致しない場合、過程はステップＳ２に戻って続けられ、最終的に、特定された幅を有するセクタが見つけられる迄続けられる。
【００５０】
上述の過程は、各フィルタホールが、固体セクタ又は同じタイプの他のセクタ全ての幅とは異なる特定の幅のカットアウトセクタに対応付けられた場合に限って作動可能である。しかし、カットアウト又は固体セクタの１つだけが、他のカットアウト又は固体セクタの幅とは異なる幅を有しているディスク１の角度位置を調整するようにすることもできる。所定のフィルタホールを光軸１１上に配置するためのコマンドが受け取られた場合、制御回路２３は、ディスクを反時計方向に回転し、幅が他のカットアウトセクタの幅とは異なるカットアウトセクタの幅を識別することができる迄、ディスクのカットアウトセクタの幅を測定して記録し続ける。このセクタが識別されると、制御回路２３は、コマンドで特定されたような幾つかのカットアウトセクタがビーム２２によってスキャンされる迄ディスクを回転し続け、特定されたカットアウトセクタの時計方向の端で回転を停止する。
【００５１】
改善された調整方法によると、制御回路２３が図３のステップＳ１〜Ｓ６を一度実行すれば、１つのカットアウトの幅が検出される。その際、検出された幅が４つのカットアウトの記憶された幅と比較され、４つのカットアウトのうちのどれが観測されたのか決定され、即ち、回転可能ディスクの現時点での配向がどの方向であるのか決定される。それから、ステップＳ１のコマンド内で特定された配向が、時計方向又は反時計方向に回転することによってもっと迅速に達成することができるかどうか決定され、従って、モータ３の回転の方向が決定される。方向が、反時計方向であり続ける場合、コマンドＳ１で特定されたフィルタに相応するカットアウトセクタが完全にスキャンされて、フォトトランジスタ５によって観測される赤外線強度の低減により、カットアウトの時計方向の端に達したことが分かると、制御ユニットは、モータ３の回転を停止する。回転方向が時計方向に設定されている場合、制御ユニットは、所望のカットアウトに達したことを示す、赤外線強度の上昇が観測されると瞬時にモータの回転を停止する。
【００５２】
その他の実施例によると、制御ユニットは書込可能な永久記憶装置（不揮発性メモリ）を有しており、例えば、ＥＥＰＲＯＭを有しており、この中に、光軸１１上に現時点で配置されているフィルタの識別が記憶される。この記憶に基づいて、制御回路２３は、パワーオンになると直ぐにフィルタディスクの現時点の配向を評価することができ、その結果、所定のフィルタを光軸上に配置するためのコマンドが受け取られると、制御回路は、記憶された配向に基づいて、時計方向又は反時計方向に回転することによってもっと迅速に新たな配向が達成されるかどうか判定する。回転の方向を選択した後、ここで、また、記憶された配向が本当に正しいかどうか判定するために、カットアウトセクタの幅が、ステップＳ３〜Ｓ６に関して上述したようなプロシージャーによって決定される。記憶された配向が本当に正しい場合、制御ユニットは、所望の配向が達成される迄、選択された方向にディスクを回転し続け、記憶された配向が正しくない場合、回転の方向が新たに選択される。
【００５３】
これら上述の説明と同様に制御プロシージャは、カットアウトセクタの代わりに、固体セクタの幅の測定に基づいて実行することができる。この場合、回転方向は、有利には時計方向である。
【００５４】
図２は、本発明のディスクアセンブリの第２の実施例の斜視図である。このアセンブリは、回転可能に同じ軸２に取り付けられている２つのディスク１、１’を有している。２つのディスク１，１’は、図１のディスク１と同一であり、フィルタをフィルタホール内にインストールする点を除いて相互に同一であり、従って、新たに説明しない。分かりやすくするために、必ずしも図１の参照番号全てを図２にも記載しているわけではない。プライム符号（’）を有する参照番号は、第２のディスク１’の要素又は当該要素に関連して言及しており、同じ参照番号を有する第１のディスクの相応の要素又は第１のディスクに対応付けられた相応の要素であるということである。
【００５５】
フレームは、２つのステップモータ３，３’を有しており、夫々、ディスク１，１’、２つのダイオード４，４’及び当該２つのダイオードに取り付けられている２つのフォトトランジスタ５，５’の一方を回転するために設けられている。ダイオード４，４’及びフォトトランジスタ５，５’は、相互に９０°の角度で取り付けられており、その結果、各ディスクが調整された場合、両フォトトランジスタは、同時にディスク１又は１’のどちらかのカットアウトセクタの時計方向の端２１を観測する。ここでは、制御回路２３は、ステップモータ３，３’のどちらかを相互に独立して駆動するように適合化されている。
【００５６】
２つのディスク１，１’の配向を調整するための方法について、図４のフローチャートを用いて説明する。ステップＳ１で、フィルタホールを両ディスク１，１’用の光軸１１上に配置することを指定するコマンドが受け取られる。制御回路２３は、ステップＳ１２で、各フォトトランジスタ５，５’のどれが、相応のダイオード４，４’から光を受光するか決定する。少なくとも１つのフォトトランジスタが光を受光すると、過程は真っ直ぐステップＳ１５に進み、光を受光しないと、両ディスク１，１’とも、同時に且つ同じ速度で回転する。どちらかのディスクの固体セクタ１７と２０、１７’と２０’の全長は、第２の領域１２，１２’の円周長の１／２よりも短いので、２つのディスクの各カットアウトセクタ間で絶対に重畳しないような、ディスク１，１’の配向はない。従って、同様に２つのディスクを回転することによって、やがて、２つのフォトトランジスタ５，５’の１つは、ステップＳ１４で、光を観測することができるようになる。
【００５７】
ステップＳ１５で、両フォトトランジスタ５，５’が光を観測する場合、制御回路は、最初に調整すべきディスク１又は１’のどれを任意に選択してもよい。一方のフォトトランジスタしか光を観測しない場合、制御回路は、このフォトトランジスタ５又は５’に対応付けられたディスク１又は１’を選択する。その際、選択されたディスクに対して実行される（Ｓ１６）プロシージャは、図３を用いて上述したステップＳ２〜Ｓ７でのプロシージャと同じである。最初に選択されたディスク１又は１’の調整がうまくいった場合、同じステップＳ２〜Ｓ７が、他のディスク１又は１’のために繰り返される（Ｓ１８）。
【００５８】
全てのカットアウト１３〜１６、１３’〜１６’の時計方向の端２１、２１’は、９０°離れているので、しかも、第１のディスクが調整された場合、ダイオード４、４’及びフォトトランジスタ５、５’も９０°離れているので、他のディスクに対応付けられたダイオードからのビームは、第１のディスクのカットアウトセクタの時計方向の端に沿って通過し、その結果、前記の他方のディスクのカットアウトセクタが両者の間にある場合でも、対応付けられたフォトトランジスタによって観測される強度が低下することがある。従って、第１のディスクを調整した後、及び、第２のディスクを調整開始する前、第２のディスクを調整している間、第１のディスクが、第２のディスクのダイオードからの光を阻止しないようにするために、第１のディスクのステップモータの１つ以上のステップだけ、第１のディスクを時計方向に回転させる（Ｓ１７）と有用である。第２のディスクがうまく調整された場合、第１のディスクは、Ｓ１９でステップの同じ数だけ回転して戻され、その結果、両ディスクは完全に調整される。
【００５９】
図２には、２つのダイオード４，４’及び２つのフォトトランジスタ５，５’が示されており、図４のプロシージャの上述の説明では、ディスク１，１’は、１つのダイオードと、当該ダイオードに対応付けられたフォトトランジスタを有しているものとされた。しかし、ダイオード及びフォトトランジスタを１つだけ有していて、ステップＳ１６及びステップＳ１８の両方の調整プロシージャを実行するために、同じフォトトランジスタの出力側を用いることも全く考えられる。
【００６０】
２つのディスクアセンブリの他の実施例によると、ディスク１’（ディスク１と同じ形状であるが）が、裏返し方向に、即ち、相互に向き合った２つのディスクの裏面に設置される。このようにして、カットアウトセクタの反時計方向の各端２４’は、いつも、相互に９０°離れており、他方、時計方向の各端２１’間の距離は、カットアウトセクタの長さに従って変わる。
ここでも、各ディスク１，１’は、赤外線放射ダイオード４、４’から形成されたセンサと、該赤外線放射ダイオードと夫々対応付けられたフォトトランジスタ５，５’を有している。２つのセンサ間の角距離は、カットアウトセクタ１３〜１６の最短部の幅より小さな４５°である。従って、１つのディスクが調整された場合、このディスクのカットアウトセクタは、他のディスクのダイオードとフォトトランジスタとの間に位置するようになり、その結果、ステップＳ１７及びステップＳ１９は必要ない。
【００６１】
この実施例の２つのディスク１、１’の調整用のプロシージャは、上述のように、ステップＳ１１〜Ｓ１５〜Ｓ１５で開始される。ステップＳ１６で調整されるべきディスクがディスク１である場合、調整プロシージャは、図３のステップＳ２〜Ｓ７と同じであり、その結果、赤外線強度の低減がステップＳ５で観測される場合、これは、時計方向の端２１がビームに入るためである。ディスク１’がステップＳ１６で調整されるべく選択された場合、ステップＳ２での回転方向は、反時計方向の代わりに時計方向であり、その結果、Ｓ５で赤外線強度の低減が観測された場合、それは、反時計方向の端がビームに入ったためである。
【００６２】
特にここで説明しないけれども、各センサの各フォトトランジスタと各発光ダイオードが、対応付けられたディスクの同じ側に配置されていて、どのディスクでも、カットアウト１３〜１６又は１３’〜１６’が反射セクタによって代えられ、固体セクタ１７〜２０，１７’〜２０’が非反射セクタ、例えば、カットアウトによって代えられている場合、上述の調整プロシージャと同様の調整プロシージャを実行することができるということは、当業者には直ぐに分かる。２つのディスクアセンブリでは、２つのディスク用のプロシージャは、相互に独立となり、図３の方法に従って実行することができるので、こうすることにより、調整プロシージャを簡単にすることさえできる。ここでは、２つのディスクを同時に調整することすらできる。
【００６３】
図５には、本発明の２つのディスクの装置構成及び単一のセンサを側面略図が示されている。２つのディスク１０３、１０４は、１つの軸（図示していない）上に配置されている。信号エミッタ１０１と信号レシーバ１０２を有するＵ字形センサ構成１００は、エミッタとレシーバとの間の信号の直接ラインが、２つのディスク１０３、１０４を通るように配置される。
【００６４】
図６は、図５の２つのディスクの装置構成を上から見た図である。センサの装置構成１００の、ディスク１０３，１０４の表面に関する相対位置を明らかに見ることができる。はめ歯車付きのモータ１１０が、駆動用ディスクの外側リムに配置されている。簡単にするために、モータ１１０とディスク１０３を１つしか図示していない。ディスク１０３は、更に４つの機構１０６、１０７、１０８、１０９を有しており、これらは、光学フィルタにするとよい。
【００６５】
図７は、本発明のディスクの実施例を一層詳細に図示した図である。ディスク１０３は、第１の環状領域内の第１の半径（図示していない）に沿ってセンタリングされた機構１０６，１０７，１０８，１０９を有している。第１のタイプのマーク１１１及び第２のタイプのマーク１１２のセットは、第２の半径に沿ってセンタリングされた第２の環状領域内に配置されている。第１のタイプのマークは、ホールによって示されている。第２のタイプのマークは、ホールがないことによって示されている。所望の正しい位置を示すマークセットの中心１１３は、その両側の第２のタイプのマーク１１２と共に、第１のタイプの単一のマーク１１１を有するセンタパターンによって示されている。第１のタイプの単一のマークは、有利には、センサ信号のパスを阻止せず、その際、ディスクの予期し得ない回転ずれを容易に検出することができるようになる。図７の実施例のディスクでは、個別の特徴部は、第２のタイプの次のマークが検出される迄、中心パターンに隣接する第１のタイプの幾つかのマークをカウントすることによって識別することができる。マークの１つのセット内の第１のタイプのマークと第２のタイプのマークの総和は、各特徴部全てである。図では、各特徴部は、第２の環状領域内に重畳しており、それにより、マークの２つのセット間の境界が形成される。各特徴部が第２の環状領域内に重畳していない場合、マークの２つのセット間の境界は、第１のタイプの各マート及び第２のタイプのマークの個数全体を、中心位置から始めてカウントすることによって識別される。ディスクの外側縁には、更に、駆動用に使われる、はめ歯歯車（図示していない）と係合したはめ歯１１６が示されている。
【００６６】
図８には、ディスク上のマークセットによって形成される異なった実施例のパターンが示されている。このパターンは、１つの円内に配置される代わりに並列構成で示されている。第１のタイプのマーク１１１は、白色の矩形によって示されており、第２のタイプのマーク１１２は、黒色の矩形によって示されている。マークセットの中心位置１１３は、破線内の第１のタイプのマークと第２のタイプのマークのシーケンスによって示されている。パターンが対称的であるので、回転方向とは無関係に各特徴部を識別することができるようになる。
【図面の簡単な説明】
【００６７】
【図１】本発明の第１の実施例の、単一の回転可能ディスクを有するディスクアセンブリの斜視略図
【図２】２つの回転可能ディスクを有するディスクアセンブリの斜視図
【図３】図１の回転可能ディスクを調整するための方法のフローチャート
【図４】図２の回転可能ディスクを調整するための方法のフローチャート
【図５】２つのディスクの位置を測定するための単一センサの装置構成の側面図
【図６】図５の単一センサの装置構成を上から見た図
【図７】第１の環状領域内の４つの機構を有するディスクの例を示す図
【図８】４つの機構のディスク用のマークパターンの例を示す図
【図１】
2007536849.tif 000003
【図２】
2007536849.tif 000004
【図３】
2007536849.tif 000005
【図４】
2007536849.tif 000006
【図５】
2007536849.tif 000007
【図６】
2007536849.tif 000008
【図７】
2007536849.tif 000009
【図８】
2007536849.tif 000010
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
第１の環状領域（６）を有する回転可能ディスク（１）であって、前記第１の環状領域（６）内に、複数の特徴部（７，８，９，１０）が、第１の半径に沿ってセンタリングされて、有利には、前記ディスク（１）の回転軸（２）に関して相互に均一な角度のところに配置されており、第２の環状領域（１２）は、第１のタイプ及び第２のタイプの区別可能なマークセットを、第２の半径に沿ってセンタリングされた単一の線内に有しており、前記マークの前記セットは、同じ全円周長を有しており、前記第１及び第２のタイプのマークは、前記マークの夫々のセットを識別することができるコードを形成するようにマークセット内に配置されている回転可能ディスクにおいて、
第１及び第２のタイプのマークは、夫々第２の半径に沿った各隣接セクタを形成し、前記第１又は第２のタイプのマークの加算された全円周長は、夫々、セクタ内で、前記マークの夫々のセットを識別するために使用することができることを特徴とするディスク。
【請求項２】
第１及び第２のタイプのマークの相対位置は、前記マークセット内で、前記マークの夫々のセットを識別するために使用するために使用することができる請求項１記載のディスク。
【請求項３】
第１及び第２のタイプのマークは、対称的に、前記マークセットの全円周長内に配置されている請求項１又は２記載のディスク。
【請求項４】
第１及び第２のタイプのマークの始端、中心及び／又は終端は、前記第１及び第２のマークの予め決められたシーケンスによって識別可能である請求項１，２又は３記載のディスク。
【請求項５】
第１のタイプのマークは、スキャン信号に対して透過性又は反射性であり、第２のタイプのマークは、前記スキャン信号に対して透過性又は反射性ではなく、第１の領域（６）の特徴部（７〜１０）は、光学フィルタである請求項１から４迄の何れか１記載のディスク。
【請求項６】
請求項１から５迄の何れか１記載のディスク（１）、前記ディスク（１）が回転可能に取り付けられているフレーム、及び、センサ装置構成（４，５）、有利には、光学センサ装置構成を有しており、前記センサ装置構成（４，５）は、前記第２の環状領域（１２）に隣接する前記フレームによって保持されており、前記センサ装置構成は、第１のタイプのマーク（１３〜１６）及び第２のタイプのマーク（１７〜２０）間を区別するのに適しているように形成されているディスクアセンブリにおいて、
第２のディスク（１’）は、前記第一のディスク（１）と同じ軸（２）上に取り付けられており、前記２つのディスク（１，１’）は、相互に無関係に回転可能であり、単一のセンサ装置構成（４，５）は、前記第２のディスクのマークの第１及び第２のタイプ間を区別するために設けられていることを特徴とするディスクアセンブリ。
【請求項７】
更に、各ディスク（１０３，１０４）を回転するためのステップモータ（１１０）を有しており、前記ステップモータの１ステップは、有利には、第１のタイプの１つのマーク（１１１）又は第２のタイプの１つのマーク（１１２）だけ前記ディスクを回転する請求項６記載のディスクアセンブリ。
【請求項８】
第１の領域（６）の特徴部（７〜１０）は、光学フィルタである請求項１から７迄の何れか１記載のディスク。
【請求項９】
第２のセンサ装置構成（４’，５’）は、前記第２のディスク（１’）の第１及び第２のタイプのマーク間を区別するために設けられている請求項６，７又は８記載のディスクアセンブリ。
【請求項１０】
円周方向で、２つのセンサ装置構成（４，５；４’，５’）間の距離は、第１又は第２のタイプのマーク（１３〜１６；１３’〜１６’）の最短マークの円周長よりも短い請求項９記載のディスクアセンブリ。
【請求項１１】
請求項１から５迄の何れか１記載のディスク（１）の配向を調整するための方法において、
ａ）  前記第２の環状領域（１２）に隣接してセンサ（４，５）を設けるステップ、
ｂ）  ディスクを回転し（Ｓ２）、第１及び第２のタイプのマークの２つのセット間の境界が前記センサによって観測される位置を見つけ（Ｓ３）、
ｃ）  前述のようにして観測された第１又は第２のタイプのマークのいずれかの全加算円周長を決定し（Ｓ６）、
ｄ）  前述のようにして決定された円周長が所定の長さに適合する場合（Ｓ７）、
ディスク（１）を、前記所定の円周長を有する前記マークセットの境界に相応する各位置の１つに配置することを特徴とする方法。
【請求項１２】
請求項１１記載の方法において、
ステップｂ）を、ディスク（１０３）を回転し、中心位置（１１３）を指示する第１（１１１）及び第２の（１１２）タイプのマークによって形成される所定のパターンを見つけるステップに置き換え、
ステップｃ）を、前記中心位置（１１３）で開始し、任意の方向に回転して、前記マークの１つのマーク内で、前記第１（１１１）及び第２の（１１２）タイプのマークによって形成されるパターンを決定するステップに置き換え、
ステップｄ）を、所望の特徴部（１０６，１０７，１０８，１０９）に対応付けられた中心位置（１１３）に前記ディスク（１０３）を位置付けるステップに置き換える方法。
【請求項１３】
前記センサ装置構成（４，５；４’，５’）は、スキャン信号ソース（（４．４’）と、前記ディスク（１，１’）の反対側に配置されたスキャン信号レシーバ（５，５’）を有する請求項６から１０迄の何れか１記載のディスクアセンブリ内で、第１のディスクの配向を調整するための方法において、
ｅ）  アセンブリの開始時点での構成でのセンサによって観測される信号レベルを、本質的に重畳している２つのディスクの第１のタイプの２つのマークに相応するか、又は、ソースとレシーバとの間でスキャン信号を阻止するいずれかのディスクの第２のタイプの少なくとも１つのマークに相応するか決定するステップ（Ｓ１２）、
ｆ）  第２のタイプのマークがスキャン信号を阻止することが決定された場合、第１のタイプの２つのマークが観測される迄（Ｓ１４）、２つのディスクを前記ソースと前記レシーバとの間で実質的に重畳するように回転するステップ（Ｓ１３）、
ｇ）  第１のディスクを回転させて、前記第１及び第２のタイプのマークの２つのセット間の境界が前記センサによって観測される位置を見つけるステップ、
ｈ）  マークの１つのセット内で、前記第１又は第２のタイプの、前述のようにして観測されたマークの加算された全長を決定するステップ、
ｉ）  前述のようにして決定された各長さが所定の各長さに適合する場合、第１のディスクを、所定の円周長を有するマークセットの境界に相応する各位置の１つに配置するステップ、
ｊ）  前記第１のディスクを動かないようにして、前記第２のディスクに対して前記ステップｇ）〜ｉ）を繰り返すことを特徴とする方法。
【請求項１４】
請求項１３記載の方法において、
ステップｇ）を、第１のディスク（１０３）を回転し、中心位置（１１３）を指示する第１（１１１）及び第２の（１１２）タイプのマークによって形成される所定のパターンを見つけるステップに置き換え、
ステップｈ）を、前記中心位置（１１３）で開始して、前記マークの１つのマーク内で、前記第１のタイプのマーク（１１１）及び第２のタイプのマーク（１１２）によって形成されるパターンを決定するステップに置き換え、ステップｉ）を、所望の特徴部（１０６，１０７，１０８，１０９）に対応付けられた中心位置（１１３）に前記ディスク（１０３）を位置付けるステップに置き換える方法。
【請求項１５】
駆動パルスによって駆動されるステップモータによって回転する請求項１１から１４迄の何れか１記載の方法において、
更に、
ディスクが新たな位置になった時に前記駆動パルスをカウントするステップｊ）
第１及び第２のタイプのマークを連続的に検出し、該検出時に、特徴部と中心位置パターン（１１３）を識別するパターンを検出するステップｋ）
所定数の駆動パルス後、前記ディスクの回転を停止するステップｌ）
前記所定数のパルスがカウントされる前に、所望の特徴部（１０６，１０７，１０８，１０９）の中心位置パターン（１１３）が検出された場合、その後の駆動パルスを禁止するステップｍ１）
前記所定数の駆動パルス後、所望の特徴部（１０６，１０７，１０８，１０９）の中心位置パターン（１１３）が検出されない場合、前記所望の特徴部（１０６，１０７，１０８，１０９）の前記中心位置パターン（１１３）が検出される迄、前記駆動パルスを継続するステップｍ２）を有する方法。
【請求項１６】
請求項１５記載の方法において、
ステップｋ）を、所定数の駆動パルス後に、所望の特徴部（１０６，１０７，１０８，１０９）マイナス所定の小さな数がカウントされた場合に実行し、前記所定の小さな数を、少なくとも、中心位置（１１３）を識別するのに必要なマークの数と同じ大きさにする方法。
【請求項１７】
請求項１５記載の方法において、
ステップｋ）を、中心パターン（１１３）を決定するための所定数の駆動パルス用の当該駆動パルスの開始時点で実行し、前記所定数を、少なくとも、中心位置（１１３）を識別するのに必要なマークの数と同じ大きさにし、それにより、正しい開始位置が再確認される方法。
【国際調査報告】
2007536849.tif 000011
2007536849.tif 000012
2007536849.tif 000013